(57)【要約】【課題】設置場所から容易に取り外すことができる電源装置を提供する。【解決手段】電源装置１００は、電力供給対象物２１０に接続される。電源装置１００は、本体部１０と、引っ掛かり抑制部２０とを備える。本体部１０は、接続部１２を有する。接続部１２は、電力供給対象物２１０に接続する。引っ掛かり抑制部２０は、本体部における接続部１２が位置する側に、本体部１０から延びる。電源装置１００は、支持部３０をさらに備えることが好ましい。支持部３０は、本体部１０における接続部１２が位置する側と反対側に配置されることが好ましい。引っ掛かり抑制部は、脚部２２と、傾斜部２４とを有することが好ましい。脚部２２は、支持部３０と共に本体部１０を支持することが好ましい。傾斜部２４は、支持部３０の下端３６と脚部２２の下端２６とを結ぶ仮想線Ｌ１に対して傾斜することが好ましい。【選択図】図１
2017183068.tif 000002
【特許請求の範囲】
【請求項１】
電力供給対象物に接続される電源装置であって、
前記電力供給対象物に接続する接続部を有する本体部と、
前記本体部における前記接続部が位置する側に、前記本体部から延びた引っ掛かり抑制部と
を備える、電源装置。
【請求項２】
前記本体部における前記接続部が位置する側と反対側に配置され、前記引っ掛かり抑制部と共に前記本体部を支持する支持部をさらに備え、
前記引っ掛かり抑制部は、
前記支持部と共に前記本体部を支持する脚部と、
前記支持部の下端と前記脚部の下端とを結ぶ仮想線に対して傾斜する傾斜部と
を有する、請求項１に記載の電源装置。
【請求項３】
前記傾斜部は、第１傾斜部と、前記第１傾斜部と接続する第２傾斜部とを有し、
前記仮想線に対する前記第１傾斜部の角度は、前記仮想線に対する前記第２傾斜部の角度よりも小さい、請求項２に記載の電源装置。
【請求項４】
前記傾斜部は着脱可能である、請求項２から請求項３のいずれか１項に記載の電源装置。
【請求項５】
前記傾斜部は前記本体部から離れるにつれて前記仮想線から離れる方向に向かって延びる円弧状である、請求項２から請求項４のいずれか１項に記載の電源装置。
【請求項６】
前記傾斜部は板状である、請求項２から請求項５のいずれか１項に記載の電源装置。
【請求項７】
前記傾斜部の幅は、前記本体部の幅よりも大きい、請求項２から請求項６のいずれか１項に記載の電源装置。
【請求項８】
設置面に設置される電源装置であって、
前記脚部は、
前記本体部と接続する第１脚部と、
前記第１脚部と接続し、前記設置面と接触可能な第２脚部と
を有する、請求項２から請求項７のいずれか１項に記載の電源装置。
【請求項９】
請求項１から請求項８のいずれか１項に記載の電源装置と、
前記電源装置に接続される灯具と
を備え、
前記電源装置は前記灯具に電力を供給する、照明器具。
【発明の詳細な説明】
【技術分野】
【０００１】
本発明は、電源装置および照明器具に関する
【背景技術】
【０００２】
従来、電源装置と灯具とを分離している照明器具が知られている（例えば、特許文献１）。特許文献１に記載の照明器具は、電源装置と灯具とが、電源接続線を介して接続されている。特許文献１に記載の照明器具は、電源装置と灯具とを所定の距離だけ離して天井裏に配置して、天井に取り付けられる。
【先行技術文献】
【特許文献】
【０００３】
【特許文献１】特開２０１５−５３４５号公報
【発明の概要】
【発明が解決しようとする課題】
【０００４】
しかしながら、特許文献１に記載の照明器具では、照明器具を天井から取り外す際に、電源装置が天井裏に配置された障害物、または障害物と天井裏との隙間に引っ掛かる可能性があった。このため、電源装置を天井裏から容易に取り外せない可能性があった。
【０００５】
本発明は上記課題に鑑みてなされたものであり、その目的は設置場所から容易に取り外すことができる電源装置および照明器具を提供することにある。
【課題を解決するための手段】
【０００６】
本願に開示する電源装置は、電力供給対象物に接続される。前記電源装置は、本体部と、引っ掛かり抑制部とを備える。前記本体部は、前記接続部を有する。前記接続部は、前記電力供給対象物に接続する。前記引っ掛かり抑制部は、前記本体部における前記接続部が位置する側に、前記本体部から延びる。
【０００７】
本願に開示する電源装置において、支持部をさらに備えることが好ましい。前記支持部は、前記本体部における前記接続部が位置する側と反対側に配置されることが好ましい。前記支持部は、前記引っ掛かり抑制部と共に前記本体部を支持することが好ましい。前記引っ掛かり抑制部は、脚部と、傾斜部とを有することが好ましい。前記脚部は、前記支持部と共に前記本体部を支持することが好ましい。前記傾斜部は、前記支持部の下端と前記脚部の下端とを結ぶ仮想線に対して傾斜することが好ましい。
【０００８】
本願に開示する電源装置において、前記傾斜部は、第１傾斜部と、第２傾斜部とを有することが好ましい。前記第２傾斜部は、前記第１傾斜部と接続することが好ましい。前記仮想線に対する前記第１傾斜部の角度は、前記仮想線に対する前記第２傾斜部の角度よりも小さいことが好ましい。
【０００９】
本願に開示する電源装置において、前記傾斜部は着脱可能であることが好ましい。
【００１０】
本願に開示する電源装置において、前記傾斜部は前記本体部から離れるにつれて前記仮想線から離れる方向に向かって延びる円弧状であることが好ましい。
【００１１】
本願に開示する電源装置において、前記傾斜部は板状であることが好ましい。
【００１２】
本願に開示する電源装置において、前記傾斜部の幅は、前記本体部の幅よりも大きいことが好ましい。
【００１３】
本願に開示する電源装置において、前記電源装置は、設置面に設置されることが好ましい。前記脚部は、第１脚部と、第２脚部とを有することが好ましい。前記第１脚部は、前記本体部と接続することが好ましい。前記第２脚部は、前記第１脚部と接続することが好ましい。前記第２脚部は、前記設置面と接触可能なことが好ましい。
【００１４】
本願に開示する照明器具は、上記に記載の電源装置と、灯具とを備える。前記灯具は、前記電源装置に接続される。前記電源装置は前記灯具に電力を供給する。
【発明の効果】
【００１５】
本発明によれば、電源装置を設置場所から容易に取り外すことができる。
【図面の簡単な説明】
【００１６】
【図１】（ａ）は、本発明の実施形態に係る照明器具の模式的な断面図である。（ｂ）は、電源装置の引っ掛かり抑制部の近傍の拡大断面図である。（ｃ）は、本発明の実施形態に係る照明器具の模式的な断面図である。
【図２】支持装置の斜視図である。
【図３】本発明の実施形態に係る照明器具の模式的な断面図である。
【図４】本発明の実施形態に係る照明器具の模式的な断面図である。
【図５】（ａ）は、本発明の実施形態に係る照明器具の模式的な断面図である。（ｂ）は、本発明の実施形態に係る電源装置の模式的な側面図である。
【図６】（ａ）および（ｂ）は、図５（ｂ）に示した本発明の実施形態に係る電源装置の斜視図である。
【図７】（ａ）および（ｂ）は、図５（ａ）に示した電源装置の引っ掛かり抑制部の近傍の拡大断面図である。
【図８】本発明の実施形態に係る電源装置の模式的な断面図である。
【図９】（ａ）および（ｂ）は、図１（ａ）に示した電源装置の模式的上面図である。
【図１０】本発明の実施形態に係る照明器具の模式的な断面図である。
【発明を実施するための形態】
【００１７】
以下、本発明の実施形態について、図面を参照しながら説明する。なお、図中、同一または相当部分については同一の参照符号を付して説明を繰り返さない。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１８】
図１および図２を参照して、本発明の実施形態に係る照明器具２００について説明する。図１（ａ）は、本発明の実施形態に係る照明器具２００の模式的な断面図である。図１（ｂ）は、電源装置１００の引っ掛かり抑制部２０の近傍の拡大断面図である。図１（ｃ）は、本発明の実施形態に係る照明器具２００の模式的な断面図である。図２は、支持装置３００の斜視図である。図１（ａ）において、仮想線Ｌ１は、支持部３０の下端３６と脚部２２の下端２６とを結ぶ仮想線を示す。図１（ｂ）において、隙間ｄ１は、設置面ＣＵと、プレート３０３の下面との隙間を示す。距離ｄ２は、設置面ＣＵと、プレート３０３の上面との距離を示す。距離ｄ３は、設置面ＣＵと、傾斜部２４の先端との距離を示す。なお、図１（ａ）〜（ｃ）の断面図において、説明上不要な部分の断面描画は省略した。
【００１９】
図１（ａ）に示すように、照明器具２００は、電源装置１００と、電力供給対象物としての灯具２１０と、電源コード２２０とを備える。照明器具２００は、例えば、電源別置型のダウンライトである。具体的には、電源装置１００と、灯具２１０とは、所定の距離だけ離れて配置される。電源装置１００は、電源コード２２０を介して灯具２１０に接続される。
【００２０】
照明器具２００は、天井板Ｃの取付孔Ｂに取り付けられる。天井板Ｃの取付孔Ｂの内径よりも小さい外径を有する照明器具２００を取り付ける場合がある。この際、照明器具２００は、支持装置３００を介して天井板Ｃの取付孔Ｂに取り付けられる。具体的には、図２に示すように、支持装置３００は、天井板Ｃに取り付けられる。そして、支持装置３００は照明器具２００を支持する。つまり、照明器具２００は支持装置３００に取り付けられる。その結果、照明器具２００は、支持装置３００を介して天井板Ｃに取り付けられる。本実施形態では、照明器具２００が支持装置３００を介して天井板Ｃの取付孔Ｂに取り付けられる場合について説明する。
【００２１】
再び図１を参照する。電源装置１００は、灯具２１０に電力を供給する。電源装置１００は、本体部１０と、引っ掛かり抑制部２０と、支持部３０とを有する。
【００２２】
本体部１０の形状は、例えば箱状である。本体部１０は、底面１１を有する。本体部１０は、接続部１２を有する。接続部１２は、電源コード２２０を介して灯具２１０に接続されている。接続部１２は、例えば、コネクタである。本体部１０は、引っ掛かり抑制部２０と、支持部３０とによって支持される。
【００２３】
支持部３０は、本体部１０における接続部１２が位置する側とは反対側に配置されている。支持部３０は、壁部３２と、当接部３４とを有する。壁部３２は、本体部１０と接続する。壁部３２は、本体部１０からＺ軸方向に沿って延びている。当接部３４は、壁部３２と接続する。当接部３４は、設置面ＣＵと当接可能である。
【００２４】
引っ掛かり抑制部２０は、本体部１０における接続部１２が位置する側に、本体部１０から延びている。引っ掛かり抑制部２０は、例えば板状である。引っ掛かり抑制部２０は、脚部２２と、傾斜部２４とを有する。脚部２２は、支持部３０と共に本体部１０を支持する。脚部２２は、本体部１０と接続する。脚部２２は、本体部１０からＺ軸方向に沿って延びている。傾斜部２４は、例えば板状である。傾斜部２４のＹ軸方向に沿った幅は均一である。傾斜部２４は、Ｙ軸方向から見た断面視において、平坦状である。傾斜部２４は、仮想線Ｌ１に対して傾斜している。仮想線Ｌ１は、支持部３０の下端３６と脚部２２の下端２６とを結ぶ仮想線を示す。また、本実施形態では、底面１１および設置面ＣＵとは、仮想線Ｌ１と平行である。したがって、傾斜部２４は、本体部１０の底面１１および設置面ＣＵに対して傾斜している。すなわち、傾斜部２４は、脚部２２と当接部３４とが設置面ＣＵに設置しているとき、設置面ＣＵに対して傾斜している。したがって、傾斜部２４の下面は、本体部１０から離れるにしたがって、徐々に設置面ＣＵから離れて行く方向に延びている。
【００２５】
灯具２１０は、電源装置１００によって供給された電力に基づいて点灯する。
【００２６】
支持装置３００には、開口３１０が形成されている。支持装置３００は、例えば、リニューアルプレートである。灯具２１０の一部を開口３１０に通過させて、灯具２１０は天井板Ｃに取り付けられる。
【００２７】
図２に示すように、支持装置３００は、プレート３０３と、枠体３０５と、複数の接続部３０７（本実施形態では、２つの接続部３０７）とを備える。プレート３０３は、複数の支持部３１５（本実施形態では、２つの支持部３１５）を含む。枠体３０５は、鍔部３２１と、筒部３２２とを含む。接続部３０７は、ボルト３４１と、ナット３４２とを含む。プレート３０３、枠体３０５、および接続部３０７は、例えば、金属製である。
【００２８】
プレート３０３は天井板Ｃの設置面ＣＵに配置される。接続部３０７は枠体３０５に固定される。そして、接続部３０７および筒部３２２が天井板Ｃの取付孔Ｂを貫通するように、枠体３０５および接続部３０７は下面ＣＬ側から上方向Ｄ１に移動される。なお、取付孔Ｂは略円形状である。さらに、枠体３０５および接続部３０７は回転方向Ｄ２に回転される。さらに、枠体３０５および接続部３０７は自重により下方向Ｄ３に移動される。そして、接続部３０７が支持部３１５に当接すると、支持部３１５は、接続部３０７を介して枠体３０５を支持し、接続部３０７は、プレート３０３と枠体３０５とを接続する。さらに、ナット３４２を回転させると、枠体３０５が上方向Ｄ１に移動し、鍔部３２１が天井板Ｃの下面ＣＬに当接する。その結果、プレート３０３と鍔部３２１とで天井板Ｃが挟まれ、支持装置３００が天井板Ｃに取り付けられる。なお、設置面ＣＵは、例えば、天井裏側の面であり、下面ＣＬは、例えば、室内側の面である。
【００２９】
照明器具２００を天井板Ｃから取り外す際、図１（ａ）に示した状態から、灯具２１０を下方へ引っ張ることにより、電源コード２２０を介して、電源装置１００が灯具２１０の方へ引き寄せられる。一般的に、電源装置が引き寄せられた際に、電源装置が天井裏にある障害物または障害物と天井裏との隙間に引っ掛かり、電源装置が引き出せなくなることがある。本実施形態では、プレート３０３が障害物となり得る。
【００３０】
しかしながら、電源装置１００は、引っ掛かり抑制部２０を備えるため、電源装置１００が引き寄せられた際に、電源装置１００が天井裏にあるプレート３０３またはプレート３０３と天井裏との隙間ｄ１に引っ掛かることなく、図１（ｃ）に示すように引っ掛かり抑制部２０をプレート３０３に容易に乗り上げさせることができる。
【００３１】
図１（ｂ）に示すように、設置面とプレートとの間には隙間ｄ１が生じる場合がある。例えば、隙間ｄ１は、プレート３０３の反りまたは設置面ＣＵの粗さによって生じる。本実施形態では、距離ｄ３は隙間ｄ１よりも大きい。このため、傾斜部２４の先端は、隙間ｄ１よりも上方に位置する。したがって、照明器具２００を天井板Ｃから取り外す際に、傾斜部２４の先端が隙間ｄ１に挟まることを抑制することができる。その結果、天井板Ｃから照明器具２００を容易に取り外すことができる。
【００３２】
また、本実施形態では、距離ｄ３は隙間ｄ１よりも大きい。したがって、傾斜部２４の先端が、プレート３０３の側面と接触することを抑制することができる。その結果、照明器具２００を天井板Ｃから取り外す際に、傾斜部２４の先端がプレート３０３に引っ掛かることを抑制することができる。その結果、天井板Ｃから照明器具２００を容易に取り外すことができる。
【００３３】
また、電源装置１００において、引っ掛かり抑制部２０は、傾斜部２４を有する。したがって、照明器具２００を天井板Ｃから取り外す際に、傾斜部２４がプレート３０３と接触しながら滑らかに移動する。したがって、傾斜部２４がプレート３０３に引っ掛かることを抑制することができる。その結果、天井板Ｃから照明器具２００を容易に取り外すことができる。
【００３４】
図１を参照して説明した電源装置１００では、傾斜部２４は、平坦状であったが、傾斜部２４は、円弧状であってもよい。
【００３５】
図３を参照して、本発明の実施形態に係る照明器具２００について説明する。図３は、本発明の実施形態に係る照明器具２００の模式的な断面図である。傾斜部２４が円弧状である点を除いて、図１の電源装置１００と同様の構成であるため、重複部分については説明を省略する。
【００３６】
図３に示すように、傾斜部２４は円弧状であり、円弧状は本体部１０から離れるにつれて仮想線Ｌ１から離れる方向に向かって延びる。すなわち、傾斜部２４の下面は、本体部１０から離れるにしたがって、徐々に設置面ＣＵから離れて行く方向に延びている。したがって、照明器具２００を天井板Ｃから取り外す際に、傾斜部２４が滑らかに移動しプレート３０３の段差を乗り越えることができる。その結果、天井板Ｃから照明器具２００を容易に取り外すことができる。
【００３７】
図４を参照して、本発明の実施形態に係る照明器具２００について説明する。図４は、本発明の実施形態に係る照明器具２００の模式的な断面図である。脚部２２が、第１脚部２２ａと、第２脚部２２ｂとを有する点を除いて、図１の電源装置１００と同様の構成であるため、重複部分については説明を省略する。
【００３８】
図４に示すように、脚部２２は、第１脚部２２ａと、第２脚部２２ｂとを有する。第１脚部２２ａは、本体部１０と接続する。第２脚部２２ｂは、第１脚部と接続している。第２脚部２２ｂは、設置面ＣＵと接触可能である。第２脚部２２ｂが設置面ＣＵに接触しているため、本体部１０が引っ掛かり抑制部２０と支持部３０とによって安定して支持される。
【００３９】
図５〜図７を参照して、本発明の実施形態に係る照明器具２００について説明する。図５（ａ）は、本発明の実施形態に係る照明器具２００の模式的な断面図である。図５（ｂ）は、本発明の実施形態に係る電源装置１００の模式的な側面図である。図６（ａ）および図６（ｂ）は、図５（ｂ）に示した本発明の実施形態に係る電源装置１００の斜視図である。図７（ａ）および図７（ｂ）は、図５（ａ）に示した電源装置１００の引っ掛かり抑制部２０の近傍の拡大断面図である。図５（ｂ）において、角度θ１は、仮想線Ｌ１に対する第１傾斜部２４ａの角度である。本実施形態では、底面１１および設置面ＣＵとは、仮想線Ｌ１と平行である。したがって、角度θ１は、底面１１および設置面ＣＵに対する第１傾斜部２４ａの角度と等しい。角度θ２は、仮想線Ｌ１に対する第２傾斜部２４ｂの角度である。本実施形態では、底面１１および設置面ＣＵとは、仮想線Ｌ１と平行である。したがって、角度θ２は、底面１１および設置面ＣＵに対する第２傾斜部２４ｂの角度と等しい。傾斜部２４が、２段階で曲がっている点を除いて、図１の電源装置１００と同様の構成であるため、重複部分については説明を省略する。
【００４０】
図５（ａ）および図５（ｂ）に示すように、傾斜部２４は、第１傾斜部２４ａと、第２傾斜部２４ｂとを有する。第２傾斜部２４ｂは、第１傾斜部２４ａと接続する。図５（ｂ）に示すように、仮想線Ｌ１に対する第１傾斜部２４ａの角度θ１は、仮想線Ｌ１に対する第２傾斜部２４ｂの角度θ２よりも小さい。本実施形態では、底面１１および設置面ＣＵとは、仮想線Ｌ１と平行である。したがって、底面１１および設置面ＣＵに対する第１傾斜部２４ａの角度θ１は、底面１１および設置面ＣＵに対する第２傾斜部２４ｂの角度θ２よりも小さい。
【００４１】
図６（ａ）および図６（ｂ）を参照してさらに具体的に電源装置１００について説明する。図６（ａ）および図６（ｂ）では、Ｙ軸方向から見た本体部１０の断面形状は、略台形として記載している。
【００４２】
図６（ａ）および図６（ｂ）に示すように、電源装置１００は、本体部１０と、引っ掛かり抑制部２０と、支持部３０とを有する。本体部１０は、底面１１を有する。底面１１は、本実施形態ではＸＹ平面に平行である。なお、底面１１は、ＸＹ平面に平行でなくてもよい。
【００４３】
引っ掛かり抑制部２０は、脚部２２と、傾斜部２４とを有する。脚部２２は、第１脚部２２ａと、第２脚部２２ｂとを有する。第１脚部２２ａは、Ｚ軸方向に起立している。第２脚部２２ｂは、ＸＹ平面に平行である。
【００４４】
傾斜部２４は、傾斜部２４は、第１傾斜部２４ａと、第２傾斜部２４ｂとを有する。第１傾斜部２４ａは、仮想線Ｌ１に対して傾斜している。第２傾斜部２４ｂは、仮想線Ｌ１に対して傾斜している。傾斜部２４は、仮想線Ｌ１に対して２段階で曲がっている。
【００４５】
図７（ａ）に示すように、照明器具２００を天井板Ｃから取り外す際に、第１傾斜部２４ａがプレート３０３の側面と接触し、傾斜部２４が移動しプレート３０３の段差を乗り越えることができる。
【００４６】
また、図７（ｂ）に示すように、本体部１０が前傾姿勢となり、第１傾斜部２４ａが設置面ＣＵと接触したとしても、第２傾斜部２４ｂがプレート３０３の側面と接触し、傾斜部２４が移動しプレート３０３の段差を乗り越えることができる。
【００４７】
図８を参照して、本発明の実施形態に係る電源装置１００について説明する。図８は、本発明の実施形態に係る電源装置１００の模式的な断面図である。傾斜部２４が着脱可能である点を除いて、図４の電源装置１００と同様の構成であるため、重複部分については説明を省略する。
【００４８】
図８に示すように、引っ掛かり抑制部２０は、接合部２８をさらに有する。接合部２８は、傾斜部２４と接続する。電源装置１００が設置面ＣＵに設置された場合、接合部２８は設置面ＣＵと接触する。接合部２８は、第２脚部２２ｂに対して着脱可能である。すなわち、接合部２８は、第２脚部２２ｂに対して取り外し可能に固定されている。例えば、接合部２８は、第２脚部２２ｂに対して粘着テープによって固定されている。あるいは、接合部２８は、ビス留めによって第２脚部２２ｂに対して取り外し可能に固定されてもよい。
【００４９】
以上、図８を参照して説明したように、電源装置１００において、傾斜部２４が着脱可能である。したがって、用途に応じて角度の異なる傾斜部２４に付け替えることができる。その結果、様々な段差の障害物に対しての引っ掛かりを抑制することができる。また、取り外した傾斜部２４を別の様々な電源装置に取り付けることができ、汎用性を向上させることができる。
【００５０】
図９を参照して、本発明の実施形態に係る電源装置１００について説明する。図９（ａ）および図９（ｂ）は、図１（ａ）に示した電源装置１００の模式的上面図である。図９（ａ）において、幅ｄ６は、本体部１０の幅を示し、幅ｄ７は、傾斜部２４の幅を示す。
【００５１】
図９（ａ）に示すように、傾斜部２４の幅ｄ７は、本体部１０の幅ｄ６よりも大きいことが好ましい。傾斜部２４の幅ｄ７は、本体部１０の幅ｄ６が大きいため、本体部１０が、プレート３０３と接触することを抑制することができる。したがって、照明器具２００を天井板Ｃから取り外す際に、本体部１０が引っ張られる方向（本実施形態ではＸ方向）に対して、本体部１０の姿勢が斜め向きに引っ張られた場合でも、プレート３０３に引っ掛かることを抑制することができる。その結果、天井板Ｃから照明器具２００を容易に取り外すことができる。さらに、傾斜部２４の幅ｄ７は、天井板Ｃの取付孔Ｂの内径よりも小さい。したがって、電源装置１００を取付孔Ｂに通過させることによって、天井板Ｃから照明器具２００を容易に取り外すことができる。
【００５２】
なお、図９（ａ）で示した傾斜部２４の幅ｄ７は、本体部１０の幅ｄ６よりも大きいが、これに限定されない。例えば、図９（ｂ）に示すように、傾斜部２４が本体部１０の端部にのみ設けられてもよい。
【００５３】
また、図１を参照して説明した電源装置１００は、脚部２２を有していたが、電源装置１００は、脚部２２を有していなくてもよい。
【００５４】
図１０を参照して、本発明の実施形態に係る照明器具２００について説明する。図１０は、本発明の実施形態に係る照明器具２００の模式的な断面図である。引っ掛かり抑制部２０が、脚部２２を有していない点を除いて、図１の電源装置１００と同様の構成であるため、重複部分については説明を省略する。
【００５５】
図１０に示すように、電源装置１００は、本体部１０と引っ掛かり抑制部２０を備える。引っ掛かり抑制部２０は、脚部２２を有していない。本体部１０の下面が設置面ＣＵに接するように、電源装置１００は、設置面ＣＵに設置される。図１の電源装置１００と同様に、引っ掛かり抑制部２０がプレート３０３と接触しながら滑らかに移動する。したがって、引っ掛かり抑制部２０がプレート３０３に引っ掛かることを抑制することができる。その結果、天井板Ｃから照明器具２００を容易に取り外すことができる。
【００５６】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５７】
（１）図１〜図１０を参照して説明したように、電源装置１００では、プレート３０３を障害物の一例としたが、障害物はプレート３０３に限らない。例えば、障害物は、配線、断熱材または天井の梁のような天井裏の突起物であってもよい。配線は、例えば、電源装置１００と、灯具２１０とを接続する。
【００５８】
（２）図１〜図９を参照して説明したように、電源装置１００では、傾斜部２４のＹ軸方向に沿った幅は均一であったが、本発明はこれに限定されない。例えば、傾斜部２４のＹ軸方向に沿った幅は先端に向かって幅が狭くなるテーパー状であってもよい。
【００５９】
（３）図１〜図１０を参照して説明したように、電源装置１００では、引っ掛かり抑制部２０は、板状であったが、本発明はこれに限定されない。例えば、引っ掛かり抑制部２０は、円柱状であってもよい。円柱の周面が障害物と接触することによって、引っ掛かり抑制部２０を障害物に容易に乗り上げさせることができる。
【００６０】
（４）図１〜図１０を参照して説明したように、電源装置１００は、照明器具に備えられていたが、本発明はこれに限定されない。例えば、電源装置１００を備える機器は、天井などに設置されるアンプ内蔵スピーカーまたは換気扇であってもよい。
【符号の説明】
【００６１】
１０    本体部
１２    接続部
２０    引っ掛かり抑制部
２２    脚部
２２ａ  第１脚部
２２ｂ  第２脚部
２４    傾斜部
２６    下端
２４ａ  第１傾斜部
２４ｂ  第２傾斜部
３０    支持部
３６    下端
１００  電源装置
２００  照明器具
２１０  灯具（電力供給対象物）
θ１、θ２  角度
Ｌ１    仮想線
【図１】
2017183068.tif 000003
【図２】
2017183068.tif 000004
【図３】
2017183068.tif 000005
【図４】
2017183068.tif 000006
【図５】
2017183068.tif 000007
【図６】
2017183068.tif 000008
【図７】
2017183068.tif 000009
【図８】
2017183068.tif 000010
【図９】
2017183068.tif 000011
【図１０】
2017183068.tif 000012